(57)【要約】【課題】高齢者や被介護者などの使用者のための車椅子や電動ベッドなどの対象物の積載板押上げに用いる種々の型式の昇降装置に対して汎用性を有した補助昇降機構を提供する。【解決手段】対象物積載板とこれを支持する基台フレームと積載板に取り付けられた主昇降機構基台フレームに取り付けられた補助昇降機構とを有してなる昇降装置において、補助昇降機構にあっては基端において基台フレームに軸承された圧力シリンダーがＬ型レバーを介して押上げローラーを支持しており、積載板の下降状態において該ローラーが積載板上の当て板に当接している。【選択図】図１
0003113490.tif 000002
【実用新案登録請求の範囲】
【請求項１】
対象物積載板と脚を介してこれを支持する基台フレームと積載板に取り付けられた主昇降機構と基台フレームに取り付けられた補助昇降機構とを有してなる昇降装置において、補助昇降機構においては基端を基台フレームに軸承された圧力シリンダーがＬ型レバーを介して押上げローラーを支持しており、積載板の下降状態において該押上げローラーが積載板上の当て板に当接していることを特徴とするベッド用昇降装置の補助昇降機構。
【請求項２】
基台フレーム上のスタンドに軸承されたＬ型レバーの下分肢が末端において圧力シリンダーのピストンロッドに軸承連結されており、押上げローラーがＬ型レバーの上分肢の末端に設けられていることを特徴とする請求項１に記載の昇降機構。
【考案の詳細な説明】
【技術分野】
【０００１】
この考案はベッド用昇降装置の補助昇降機構に関するものであり、より詳しくは例えば高齢者や被介護者などの使用者のための車椅子や電動ベッドなどの対象物の積載板に用いる昇降装置において、特にその押上げ工程の初期において積載板の上昇開始を円滑とする改良に関するものである。
【０００２】
以下の記載において「起立回動」とは積載板を上昇状態にするための脚の下端を中心とした回動を言う。
【背景技術】
【０００３】
本出願人は特願２００２−３４３２７０号において、主昇降機構としてパンタグラフ機構を利用した昇降装置を提案した。この考案はこれとは異なる構成の主昇降機構を採用した昇降装置に関するものであるが、上記したような主昇降機構としてパンタグラフ機構を採用した昇降装置にも応用できるものである。
【特許文献１】特願２００２−３４３２７０号
【考案の開示】
【考案が解決しようとする課題】
【０００４】
ところで、いかなる主昇降機構を利用した昇降装置においても、多くの場合積載板上に使用者を載せたまま積載板を昇降させること、つまりかなりの重量負荷を載せたまま積載板を昇降させることが多い。この故にその押上げ工程の初期において積載板の上昇開始を円滑に行なうことが困難である。
【０００５】
上記した特願の発明にあっては、押開片を採用して、この押開片により押上げ工程の初期においてパントグラフ機構を若干開くことにより積載板の上昇開始を円滑に行なうようにしている。
【０００６】
しかしこの方法は主昇降機構としてパントグラフ機構を利用した場合のみ有効であり、他の型式の主昇降機構を用いた場合には所期の作用を期待できない。すなわち汎用性に欠けるのである。
【０００７】
かかる従来技術の現状に鑑みて、種々の型式の主昇降機構を採用した昇降装置に対して汎用性を有した補助昇降機構を提供することを目的とする。
【課題を解決するための手段】
【０００８】
このためこの考案の補助昇降機構においては、基端において基台フレームに軸承された圧力シリンダーがＬ型レバーを介して押上げローラーを支持しており、積載板の下降状態において該ローラーが積載板上の当て板に当接していることを要旨とする。
【考案の効果】
【０００９】
押上げ工程の初期において、主昇降機構と同時にまたは若干早く補助昇降機構が始動して、Ｌ型レバーが押上げローラーと当て板を介して積載板をある程度押し上げるので、両昇降機構の協働により押上げ工程の初期における積載板の上昇開始を円滑に行なうことができる。
【００１０】
しかもこの考案の補助昇降機構は主昇降機構には構造的に係合していないので、いかなる型式の主昇降機構を採用した昇降装置にも応用できる汎用性を有している。
【実施例１】
【００１１】
図１はこの考案の補助昇降機構を応用した昇降装置を積載板の下降状態で、図２は同じく積載板の上昇状態で、それぞれ示したものである。
【００１２】
まず主昇降機構の構成について説明する。基台フレーム１上には左右の脚３を介して積載板５が支持されている。図中には左右２個の脚３のみが示されているが、通常は４個が用いられている。
【００１３】
各脚３は下端において基台フレーム１に軸承連結されるとともに、上端において積載板５に軸承連結されている。一方（図中では右方）の脚３の下端軸承点Ｐ１は基台フレーム１に設けられたレール（図示せず）に沿って基台フレーム１の長手方向に移動可能である。また他方（図中では左方）の脚３の上端軸承点Ｐ２は積載板に設けられたレール（図示せず）に沿って積載板５の長手方向に移動可能である。
【００１４】
一方の脚３の長手方向中央近くには補助脚７が下端において軸承され、その上端は積載板５に軸承されている。
【００１５】
一方（図中では左方）の脚３側において、積載板５にはモーター９が基端において軸承支持されており、そのピストンロッド１１の先端にはリンク１３の下端が軸承連結されている。
【００１６】
このリンク１３の上端は積載板５に支持された固定軸１５に軸承されている。この固定軸１５にはリンク１３と一体のアーム１７が上端において軸承されている。アーム１７の下端に一端を軸承された連結リンク１９の他端はアーム２１の下端に軸承されている。このアーム２１は他方（図中では右方）の脚３上の固定軸２３に上端を固定されている。
【００１７】
ついで以上のような構成の主昇降機構の動作を説明する。
【００１８】
まず積載板の上昇時にはモーター９がオンとなると、そのピストンロッド１１が進出し、リンク１３とアーム１７とが固定軸１５について時計方向に回動する。これにより連結リンク１９は図中左方に引っ張られ、アーム２１が時計方向に回動する。これにより右方の脚３は起立回動して積載板５を上昇させる。
【００１９】
積載板の下降時にはモーター９がオフとなり、ピストンロッド１１が退入すると、関連する各部品は上記と逆の動きをし、これにより右方の脚３は反起立回動して積載板５を下降させる。
【００２０】
つぎに補助昇降機構の構成を説明する。なお図中では右方の脚３側にのみ補助昇降機構が付設されているが、実際には使用されている全ての脚３に補助昇降機構を付設するのが望ましい。
【００２１】
基台フレーム１にはピストンロッド２７を有した圧力シリンダー２５が基端において軸承されている。この圧力シリンダーには一般的には空気圧シリンダーが使用されるが、それに限定されるものではない。
【００２２】
基台フレーム１上のスタンド２９にはＬ型レバー３１が屈曲部において軸承されている。このＬ型レバー３１の下分肢は端部においてピストンロッド２７の先端に軸承連結されている。またその上分肢の端部には押上げローラー３３が取り付けられている。積載板５の下降状態においてこの押上げローラー３３に当接する位置で積載板５には当て板３５が設けられている。
【００２３】
ついで以上のような構成の補助昇降機構の動作を説明する。
【００２４】
まず積載板の上昇開始時に圧力シリンダー２５がオンとなると、そのピストンロッド２７が進出し、Ｌ型レバー３１は軸承点を中心に図中時計方向に回動する。これにより上分肢の先端の押上げローラー３３が当て板３５を押し上げ、これに伴い積載板５が上昇する。爾後圧力シリンダー２５がオフとなり、そのピストンロッド２７は退入して原状に復帰する。
【００２５】
以上の過程において主昇降機構は補助昇降機構と並行して動作してもよく、または補助昇降機構より若干遅れて始動してもよい。いずれにしても主・補助昇降機構の協働により押上げ工程の初期において積載板５の上昇開始が円滑に行なわれる。
【産業上の利用可能性】
【００２６】
この考案の補助昇降機構は、いわゆる介護ビジネスおよび病院などベッドを使用する高齢者や被介護者を介助する産業分野において広く利用されるものである。
【図面の簡単な説明】
【００２７】
【図１】この考案の補助昇降機構を応用した昇降装置の一例を下降状態で示す側面図である。
【図２】同じく上昇状態で示す側面図である。
【符号の説明】
【００２８】
１：  基台フレーム
３：  脚
５：  積載板
９：  モーター
２５：  圧力シリンダー
３１：  Ｌ型レバー
３３：  ローラー
３５：  当て板
【図１】
0003113490.tif 000003
【図２】
0003113490.tif 000004